(57)【要約】【課題】展示台等の近くにテレビ配置用の広いスペースを設ける必要がなく、また、店頭等に広いスペースがない販売店等であっても展示品の広告用映像により宣伝等することができ、しかも、設備費や宣伝費等が安価で、配線が簡単な展示装置を提供する。【解決手段】ＤＶＤレコーダー７を展示する展示装置であって、上記展示装置の一部に、上記ＤＶＤレコーダー７の広告用映像を表示するための液晶パネル８が一体的に固定されている。【選択図】図１
2006051109.tif 000002
【特許請求の範囲】
【請求項１】
電化製品等の展示品を展示する展示装置であって、上記展示装置の一部に、上記展示品の広告用映像を表示するための液晶表示手段が一体的に固定されていることを特徴とする展示装置。
【請求項２】
上記展示品の広告用音声を発生させるための音声発生手段を備えている請求項１記載の展示装置。
【請求項３】
上記展示装置が展示台を備え、上記液晶表示手段が、シート状に作製された液晶パネルで構成され、この液晶パネルが上記展示台に貼着されている請求項１または２記載の展示装置。
【請求項４】
上記展示品が、ＤＶＤ録画・再生機である請求項１〜３のいずれか一項に記載の展示装置。
【発明の詳細な説明】
【技術分野】
【０００１】
本発明は、ＤＶＤレコーダー，デジタルカメラ，携帯電話等のポータブルな各種の電化製品等の展示に用いられる展示装置に関するものである。
【背景技術】
【０００２】
従来から、ＤＶＤレコーダー，デジタルカメラ，携帯電話等のポータブルな各種の電化製品を店頭等で展示，販売する場合には、梱包用箱や展示台等上に電化製品を載置するとともに、展示台等やその近傍に、電化製品のキャッチコピーや宣伝文句等が記載されたＰＯＰ等の印刷物を配設し、店員等が顧客に対し電化製品の特長等を説明することがよく行われている。ところが、この場合には、多くのＰＯＰ等を作製しなければならず、その作製費が高価になるうえ、多くのＰＯＰ等の管理に手間がかかる。しかも、店員等は電化製品の特長等を覚えなければならないし、また、覚えられない場合には、電化製品の説明が不充分になる。
【０００３】
そこで、電化製品を載置した展示台等の近くに宣伝用のテレビを配置し、このテレビの画面に、電化製品の広告，宣伝用の映像を音声とともに映し出し、電化製品を広告，宣伝することも行われている。この場合には、顧客はテレビを見ることで、電化製品のキャッチコピー，宣伝文句や特長等が判るため、展示台等やその近傍に、ＰＯＰ等の印刷物を多く配設する必要がなく、これらの作製費が安価になるうえ、これらの管理にも手間がかからなくなる。しかも、テレビにより電化製品の説明が充分に行え、そのため、店員等は電化製品の特長等をそれほと覚える必要がなくなる。また、テレビの画面に広告，宣伝用の映像等を映し出すことで、アピール度も高く、広告，宣伝の効果が高くなる。
【発明の開示】
【発明が解決しようとする課題】
【０００４】
しかしながら、展示台等の近くに宣伝用のテレビを配置し、このテレビの画面に広告，宣伝用の映像等を映し出す場合には、テレビが大きいため、展示台等の近くにテレビ配置用の広いスペースを設ける必要があり、また、店頭等に広いスペースがない販売店等ではテレビにより広告，宣伝することができない。しかも、テレビが高価であるうえ、このテレビの画面に映し出すコマーシャルフィルムを製作するのに、高い製作費を要する。しかも、宣伝用のテレビは配線が難しく、使用電力が多い。
【０００５】
本発明は、このような事情に鑑みなされたもので、展示台等の近くにテレビ配置用の広いスペースを設ける必要がなく、また、店頭等に広いスペースがない販売店等であっても展示品の広告用映像により宣伝等することができ、しかも、設備費や宣伝費等が安価で、配線が簡単で使用電力が少なくてすむ展示装置の提供をその目的とする。
【課題を解決するための手段】
【０００６】
上記の目的を達成するため、本発明の展示装置は、電化製品等の展示品を展示する展示装置であって、上記展示装置の一部に、上記展示品の広告用映像を表示するための液晶表示手段が一体的に固定されているという構成をとる。
【発明の効果】
【０００７】
すなわち、本発明の展示装置は、電化製品等の展示品を展示する展示装置の一部に、上記展示品の広告用映像を表示するための液晶表示手段が一体的に固定されているため、上記展示装置の近くに、従来例のような宣伝用のテレビを配置するための広いスペースを設ける必要がなく、また、店頭等に広いスペースがない販売店等であっても、上記展示装置を配置することができるスペースがあれば、そのスペースに上記展示装置を配置し、この展示装置の一部に一体的に固定した液晶表示手段に、上記展示品の広告用映像を表示し、上記展示品の広告，宣伝を行うことができる。しかも、液晶表示手段として、市販品等を用いることにより、安価に購入することができるうえ、ビデオカメラ等を用い、各小売店等で安価に作製したコマーシャルフィルム等の広告用映像を、液晶表示手段で表示することができ、設備費や広告，宣伝費が安価になる。しかも、液晶表示手段やその関連機器として、市販品等を用いることにより、液晶表示手段とその関連機器との配線が簡単になり、かつ、液晶表示手段の使用電力がわずかである。
【０００８】
また、上記展示品の広告用音声を発生させるための音声発生手段を備えていると、この音声発生手段から展示品の広告用音声を発生させることができる。
【０００９】
また、上記展示装置が展示台を備え、上記液晶表示手段が、シート状に作製された液晶パネルで構成され、この液晶パネルが上記展示台に貼着されていると、上記液晶表示手段が薄形であり、上記展示装置が全体として小形化するうえ、薄形の液晶パネルを上記展示台に貼着するだけであり、貼着作業が簡単になる。
【００１０】
また、上記展示品がＤＶＤ録画・再生機であると、ＤＶＤに記憶された展示品の広告用の映像情報を読み出し、展示品の広告用映像として液晶表示手段の表示画面に表示させることができる。また、上記音声発生手段を備えている場合には、ＤＶＤに記憶された展示品の広告用の音声情報を読み出し、展示品の広告用音声として上記音声発生手段から発生させることができる。
【発明を実施するための最良の形態】
【００１１】
つぎに、本発明の実施の形態を図面にもとづいて詳しく説明する。
【００１２】
図１および図２は本発明の展示装置の一実施の形態を示している。これらの図において、１は略への字状に形成された合成樹脂（例えば、アクリル樹脂）製の前側透明板（厚み５ｍｍ×左右幅４０ｃｍ×前後幅１５ｃｍ程度）であり、平板部１ａと、この平板部１ａの前端面から前側に向かって下向き傾斜状に延びる傾斜板部１ｂとからなっている。２は円筒状に形成された左右一対の合成樹脂（例えば、アクリル樹脂）製の前側透明脚部（高さ３ｃｍ程度）であり、上記平板部１ａの裏面の左右両側に接着，固定されている。３は平板状に形成された合成樹脂（例えば、アクリル樹脂）製の後側透明板（厚み５ｍｍ×左右幅３０ｃｍ×前後幅５ｃｍ程度）で、４は円筒状に形成された左右一対の合成樹脂（例えば、アクリル樹脂）製の後側透明脚部（高さ３ｃｍ程度）であり、上記後側透明板３の裏面の左右両側に接着，固定されている。５は四角形状に形成された布製，不織布等のシート（厚み１ｍｍ×左右幅４０ｃｍ×前後幅３０ｃｍ程度）であり、その上面の前部に接着，固定された両前側透明脚部２を介して前側透明板１が載置，固定されており、その上面の後部に接着，固定された両後側透明脚部４を介して後側透明板３が載置，固定されている。このように、この実施の形態では、本発明の展示装置として、両透明板１，３と両透明脚部２，４とシート５とらかなる陳列台が用いられており、折り畳み可能で、梱包や運搬等がしやすくなっている。
【００１３】
７は展示品として上記両透明板１，３上に載置されるＤＶＤレコーダー（ＤＶＤ録画・再生機）であり、ＤＶＤを回転させるドライブ機構（ともに図示せず）と、（このドライブ機構に装着された）ＤＶＤに記憶された展示品の広告用の映像情報および音声情報を読み出すピックアップ機構（図示せず）と、このピックアップ機構が読み出した映像情報および音声情報が入力される制御部（図示せず）とを備えている。そして、この制御部で、上記入力された映像情報から表示用の画像データを生成し、ＤＶＤレコーダー７の広告用の映像（動画）として、後述する液晶パネル（液晶表示手段）８の表示画面に表示させるとともに、上記入力された音声情報をアンプ９で増幅してスピーカ（音声発生手段）１０（ともに図３参照）に供給し、このスピーカ１０から音声を出力するようにしている。このようなＤＶＤに記憶されたＤＶＤレコーダー７の広告用の映像情報および音声情報は、デジタルビデオカメラを用い、各小売店等で独自に撮影したコマーシャルフィルムを、ＤＶＤレコーダー７を用い、ＤＶＤに記録させたものである。
【００１４】
上記液晶パネル８は、市販品で、シート状に作製されたもの（厚み２．４ｍｍ×左右幅７．７ｃｍ×前後幅５．７ｃｍ）であり、例えば、携帯電話等に用いられる液晶パネルと同様のものが用いられている。また、上記液晶パネル８は、その外周部に一体的に設けられた枠部８ａ（外形寸法：左右幅８．４ｃｍ×前後幅６．９ｃｍ）を有している。そして、上記液晶パネル８が前側透明板１の傾斜板部１ｂの裏面に位置決めされた状態で、上記枠部８ａが平板部１ａ，傾斜板部１ｂの裏面に（接着剤や両面テープ等により）接着，固定されている。図３において、１１は市販の配線器具類であり、簡単に配線できるものである。
【００１５】
上記のように、この実施の形態では、展示品として上記両透明板１，３上に載置されるＤＶＤレコーダー７を利用し、前側透明板１に一体的に設けた液晶パネル８にコマーシャルフィルムを表示するとともに、スピーカ１０からコマーシャルフィルム用の音声を発生させているため、展示台の近くに、従来例のような宣伝用のテレビを配置するための広いスペースを設ける必要がない。また、店頭等に広いスペースがない販売店等であっても、上記展示台を配置することができるスペースがあれば、液晶パネル８，スピーカ１０を利用してＤＶＤレコーダー７の広告，宣伝を行うことができる。しかも、液晶パネル８として市販品を用いることにより、安価に購入することができるうえ、デジタルビデオカメラ等を用いて各小売店等で安価に作製したフィルムをコマーシャルフィルムとして用いることができ、設備費や広告，宣伝費が安価になる。しかも、液晶パネル８，アンプ９，スピーカ１０やその関連機器，配線器具類等も市販品を用いることにより、これらの配線が簡単になる。しかも、液晶パネル８の使用電力はわずかである。
【００１６】
なお、上記実施の形態において、スピーカ１０を省略することができる。また、上記実施の形態において、ＤＶＤレコーダー７が、デジタルカメラで撮った写真（静止画）をＤＶＤに記憶させることができる機能を備えている場合には、上記写真を液晶パネル８に表示することができる。この場合にも、スピーカ１０を省略することができる。
【００１７】
また、ＤＶＤレコーダー７以外の電化製品（デジタルカメラ，携帯電話等）を展示する場合には、この電化製品の広告用の映像を液晶パネル８に表示するために、上記電化製品とは別に、上記広告用の映像情報を記憶させたＤＶＤ，ＤＶＤレコーダー７もしくはＤＶＤブレーヤー等を準備する必要がある。また、広告用の音声を出力する場合には、上記電化製品の広告用の音声情報を記憶させたＤＶＤ，アンプ９，スピーカ１０等を準備する必要がある。
【００１８】
また、上記実施の形態では、液晶パネル８を前側透明板１に接着，固定しているが、後側透明板３に接着，固定してもよい。また、展示台が背板を備えている場合には、この背板に液晶パネル８を接着，固定する等、展示装置のどの部分に設けてもよい。また、上記実施の形態では、液晶パネル８を前側透明板１の裏面に接着，固定している（この場合には、液晶パネル８が前側透明板１で保護されている）が、透明でない部分に接着，固定等する場合には、上記部分の表面に液晶パネル８を接着，固定等することを行う。この場合には、液晶パネル８を保護する手段を設けることが好ましい。また、ＤＶＤ録画・再生機として、ＤＶＤレコーダー７を用いているが、各種のＤＶＤ録画・再生機を用いることができる。
【００１９】
また、上記実施の形態では、透明板１，３および透明脚部２，４の合成樹脂材料として、アクリル樹脂を用いているが、これに限定するものではなく、ポリカーボネート等、各種の合成樹脂を用いることができる。
【図面の簡単な説明】
【００２０】
【図１】本発明の展示装置の一実施の形態を示す平面図である。
【図２】上記展示装置を示す側面図である。
【図３】陳列台を示す斜視図である。
【符号の説明】
【００２１】
７  ＤＶＤレコーダー
８  液晶パネル
【図１】
2006051109.tif 000003
【図２】
2006051109.tif 000004
【図３】
2006051109.tif 000005